(57)【要約】【課題】まぶしさを抑制することができる照明装置を提供することである。【解決手段】実施形態に係る照明装置１は、発光素子１２と、側面カバー６と、下面カバー７と、拡散板９と、プリズム７ｂとを具備する。発光素子１２は、光を放射する。側面カバー６は、発光素子１２に対して所定の間隔をあけて配置され、かつ、発光素子１２により放射された光を透過する。下面カバー７は、側面カバー６の下端部に設けられた、発光素子１２により放射された光を透過する。拡散板９は、下面カバー７と、発光素子１２との間に設けられ、光を拡散するための部材である。プリズム７ｂは、側面カバー６を透過した光の進行方向が、下面カバー７を透過する発光素子１２により放射された光の進行方向とは異なる方向となるように、側面カバー６を透過した光の進行方向を調整する。【選択図】図２
2014063665.tif 000002
【特許請求の範囲】
【請求項１】
光を放射する発光素子と；
前記発光素子に対して所定の間隔をあけて配置され、かつ、前記発光素子により放射された光を透過する側面カバーと；
前記側面カバーの下端部に設けられた、前記発光素子により放射された光を透過する下面カバーと；
前記下面カバーと、前記発光素子との間に設けられた、光を拡散するための拡散板と；
前記側面カバーを透過した光の進行方向が、前記下面カバーを透過する前記発光素子により放射された光の進行方向とは異なる方向となるように、前記側面カバーを透過した光の進行方向を調整する光学部材と；
を具備することを特徴とする照明装置。
【請求項２】
前記側面カバーの下端部、及び、該下端部を含む平面上における、該下端部から最も遠い前記拡散板の点を結ぶ直線と、前記拡散板の平面形状に垂直な方向との角度が、５度以上３０度以下の角度であることを特徴とする請求項１に記載の照明装置。
【請求項３】
前記側面カバーは、更に、前記拡散板により拡散または反射された光を透過することを特徴とする請求項１または２に記載の照明装置。
【請求項４】
天井に取り付けるための取付部材を更に具備し、
前記光学部材は、前記側面カバーを透過した光が、前記天井に照射されるように、前記側面カバーを透過した光の進行方向を調整することを特徴する請求項３に記載の照明装置。
【請求項５】
前記光学部材は、前記天井に垂直な方向に対して、進行方向の角度が４０度以上９０度以下となる光が前記天井に照射されるように、前記側面カバーを透過した光の進行方向を調整することを特徴とする請求項４に記載の照明装置。
【発明の詳細な説明】
【技術分野】
【０００１】
本発明の実施形態は、照明装置に関する。
【背景技術】
【０００２】
従来、ＬＥＤ（Light  Emitting  Diode）等の半導体発光素子を光源とする照明装置が用いられている。かかる照明装置の一例としては、側面カバーの下端部に拡散板を設けるものがある。
【０００３】
しかしながら、かかる照明装置では、照明装置の拡散板によって広い範囲に光が拡散される。そのため、かかる照明装置が設置された部屋の広い範囲に位置する人物にとっては、照明装置からの光がまぶしいという問題がある。
【０００４】
また、照明装置から放射される光がまぶしいからといって、放射する光の明るさが小さい照明装置を部屋に設けると、部屋の中の人物にとって、明るさ感が低くなってしまう。
【先行技術文献】
【特許文献】
【０００５】
【特許文献１】特開２００５−２７６７０３号公報
【発明の概要】
【発明が解決しようとする課題】
【０００６】
本発明が解決しようとする課題は、まぶしさを抑制すると共に明るさ感を高めることができる照明装置を提供することである。
【課題を解決するための手段】
【０００７】
実施形態の照明装置は、発光素子と、側面カバーと、下面カバーと、拡散板と、光学部材とを具備する。発光素子は、光を放射する。側面カバーは、発光素子に対して所定の間隔をあけて配置され、かつ、発光素子により放射された光を透過する。下面カバーは、側面カバーの下端部に設けられた、発光素子により放射された光を透過する。拡散板は、下面カバーと、発光素子との間に設けられ、光を拡散するための部材である。光学部材は、側面カバーを透過した光の進行方向が、下面カバーを透過する発光素子により放射された光の進行方向とは異なる方向となるように、側面カバーを透過した光の進行方向を調整する。
【図面の簡単な説明】
【０００８】
【図１】図１は、実施形態に係る照明装置の外観例を示す斜視図である。
【図２】図２は、図１に示す照明装置の断面図である。
【図３】図３は、拡散板の外観例を示す図である。
【図４】図４は、発光モジュールの外観例を示す図である。
【図５】図５は、図１において、左側の下面カバーで覆われた部分の断面図である。
【図６】図６は、拡散板と、下面カバーとの位置関係の一例を示す図である。
【図７】図７は、実施例に係る照明装置の効果の一例を説明するための図である。
【図８】図８は、実施例に係る照明装置の効果の一例を説明するための図である。
【発明を実施するための形態】
【０００９】
以下で説明する実施形態に係る照明装置１は、発光素子１２と、側面カバー６と、下面カバー７と、拡散板９と、光学部材の一例であるプリズム７ｂとを具備する。発光素子１２は、光を放射する。側面カバー６は、発光素子１２に対して所定の間隔をあけて配置され、かつ、発光素子１２により放射された光を透過する。下面カバー７は、側面カバー６の下端部に設けられた、発光素子１２により放射された光を透過する。拡散板９は、下面カバー７と、発光素子１２との間に設けられ、光を拡散するための部材である。プリズム７ｂは、側面カバー６を透過した光の進行方向が、下面カバー７を透過する発光素子１２により放射された光の進行方向とは異なる方向となるように、側面カバー６を透過した光の進行方向を調整する。
【００１０】
また、以下で説明する実施形態に係る照明装置１では、側面カバー６の下端部、及び、下端部を含む平面上における、下端部から最も遠い拡散板９上の点を結ぶ直線と、拡散板９の平面形状に垂直な方向との角度が、５度以上３０度以下の角度である。
【００１１】
また、以下で説明する実施形態に係る照明装置１では、側面カバー６は、更に、拡散板９により拡散または反射された光を透過する。
【００１２】
また、以下で説明する実施形態に係る照明装置１は、天井に取り付けるための取付部材２を更に具備する。また、かかる照明装置１において、プリズム７ｂは、側面カバー６を透過した光が、天井に照射されるように、側面カバー６を透過した光の進行方向を調整する。
【００１３】
また、以下で説明する実施形態に係る照明装置１において、プリズム７ｂは、天井に垂直な方向に対して、進行方向が４０度以上９０度以下となる光が天井に照射されるように、側面カバー６を透過した光の進行方向を調整する。
【００１４】
また、以下で説明する実施形態に係る照明装置１において、発光素子１２から放射される波長の光に対するプリズム７ｂの屈折率は、１．４５以上１．６５以下である。
【００１５】
また、以下で説明する実施形態に係る照明装置１において、下面カバー７を透過する光の量と、プリズム７ｂにより調整が行われる光の量との比は、１：９〜２：８の範囲のいずれかの比である。
【００１６】
また、以下で説明する実施形態に係る照明装置１において、側面カバー６には、一部にくぼみ６ａが形成されている。また、かかる照明装置１において、プリズム７ｂには、くぼみ６ａにはめ込むことにより、側面カバー６に取り付け可能となる突起７ｃが形成されている。
【００１７】
また、以下で説明する実施形態に係る照明装置１において、下面カバー７と、プリズム７ｂとが一体成形されている。
【００１８】
また、以下で説明する実施形態に係る照明装置１において、側面カバー６とプリズム７ｂとが一体成形されていてもよい。
【００１９】
また、以下で説明する実施形態に係る照明装置１において、側面カバー６と、下面カバー７と、プリズム７ｂとが一体成形されていてもよい。
【００２０】
また、以下で説明する実施形態に係る照明装置１において、下面カバー７、側面部７ａ及びプリズム７ｂと、側面カバー６と、拡散板９とが一体成形されてもよい。
【００２１】
また、以下で説明する実施形態に係る照明装置１において、光学部材は、複数の側面カバーのうち、外側に位置する側面カバーに設けられている。
【００２２】
また、以下で説明する実施形態に係る照明装置１において、光学部材は、複数の側面カバーのそれぞれに設けられていてもよい。
【００２３】
また、以下で説明する実施形態に係る照明装置１において、プリズムは、アクリル樹脂またはポリカーポネート樹脂を含む材料で形成されている。
【００２４】
（照明装置の外観例）
以下、実施形態に係る照明装置について、図面を参照して説明する。図１は、実施形態に係る照明装置１の外観例を示す斜視図である。図２は、図１に示す照明装置の断面図である。図１および図２において、符号１は、天井などに直付け形の照明装置を示す。
【００２５】
図１及び図２に示した照明装置１は、例えば、屋内の天井に設置される照明器具である。図１及び図２に示した照明装置１は、例えば、ＬＥＤ等の発光素子を発光させることにより、図１及び図２に示した下方向および上方向を照明する。例えば、照明装置１は、室内の床および天井を照明する。かかる照明装置１は、取付部材２、反射板３、端板４、側面カバー６、下面カバー７を具備する。
【００２６】
取付部材２は、例えば、屋内の天井に図示しない複数のねじを用いて取り付けられる。これにより、照明装置１は、天井に取り付けられ、固定される。
【００２７】
反射板３は、例えば、ＡＢＳ樹脂等の合成樹脂製、又は、アルミダイカストなどの金属によって形成される。反射板３は、後述する発光素子１２により放射され、側面カバー６および側面部７ａによって透過された光を反射する部材である。例えば、反射板３は、室内の床方向に向けて光を反射する。
【００２８】
反射板３、端板４および取付部材２によって形成される空間内には、点灯装置５が設けられる。点灯装置５は、商用交流電源を受けて直流出力を生成し、直流出力を後述の発光モジュール１０の発光素子１２に供給する。
【００２９】
側面カバー６は、アクリル樹脂またはポリカーポネート樹脂を含んだ材料で形成され、発光素子１２により放射された光、および、後述する拡散板９により拡散または反射された光を透過する部材である。また、側面カバー６には、後述する突起７ｃがはめ込まれるくぼみ６ａが形成されている。なお、このくぼみ６ａには、拡散板９が取り付けられる。図２に示すように、側面カバー６は、発光素子１２に対して所定の間隔をあけて配置されている。
【００３０】
下面カバー７は、アクリル樹脂またはポリカーポネート樹脂を含んだ材料で形成され、発光素子１２により放射された光のうち、拡散板９によって拡散された光を透過する部材である。下面カバー７は、図２に示すように、側面カバー６を覆うように形成され、取付部材２に取り付けられている。下面カバー７は、側面カバー６を覆う側面部７ａを有する。側面部７ａは、光を透過するため、側面カバー６を透過した光は、側面部７ａをも透過する。すなわち、側面部７ａは、側面カバー６を透過した、発光素子により放射された光、および、拡散板により拡散または反射された光を透過する。
【００３１】
また、複数の側面カバー６のうち、最も端に位置する側面カバー６、すなわち、最も外側に位置する側面カバー６を覆う側面部７ａには、複数のプリズム７ｂが下面カバー７及び側面部７ａと一体成形されて設けられている。プリズム７ｂは、側面カバー６及び側面部７ａを透過した光の進行方向が、下面カバー７を透過する光の進行方向とは異なる方向となるように、側面カバー６及び側面部７ａを透過した光を屈折させるための光学部材である。すなわち、プリズム７ｂは、側面カバー６及び側面部７ａを透過した光の進行方向が、下面カバー７を透過する光の進行方向とは異なる方向となるように、側面カバー６及び側面部７ａを透過した光の進行方向を調整する。具体的には、照明装置１が天井に取り付けられた場合に、プリズム７ｂは、側面カバー６及び側面部７ａを透過した光が、天井に照射されるように、側面カバー６及び側面部７ａを透過した光の進行方向を調整する。プリズム７ｂについては、後述する。なお、複数の全ての側面カバー６のそれぞれに、複数のプリズム７ｂを設けるようにしてもよい。この場合、反射板３に隣接するプリズム７ｂからの光は、反射板３に向かって進むことになる。そのため、より多くの光が反射板３に向かって進むことになる。したがって、空間の明るさ感を更に高めることができ、人物にとって更に快適な照明空間を提供することができる。
【００３２】
また、側面部７ａには、突起７ｃが形成されている。突起７ｃが上述したくぼみ６ａにはめ込まれることにより、下面カバー７に側面カバー６が取り付けられる。なお、これに限られず、側面部７ａ及びプリズム７ｂと、側面カバー６とが一体成形されてもよい。また、下面カバー７、側面部７ａ及びプリズム７ｂと、側面カバー６とが一体成形されてもよい。また、下面カバー７、側面部７ａ及びプリズム７ｂと、側面カバー６と、拡散板９とが一体成形されてもよい。
【００３３】
拡散板９は、光を拡散するための拡散材が混ぜられたポリカーボネート樹脂またはアクリル樹脂を含む材料によって形成される。図２に示すように、下面カバー７及び取付部材２によって形成された空間内に設けられている。図３は、拡散板９の外観例を示す図である。図２の例に示すように、図３の例に示すような拡散板９が、くぼみ６ａに取り付けられる。すなわち、拡散板９は、下面カバー７と、発光素子９との間に設けられ、発光素子１２により放射された光を拡散する部材である。また、拡散板９は、発光素子１２により放射された光の一部を反射する。
【００３４】
発光モジュール１０は、下面カバー７及び取付部材２によって形成された空間内に設けられている。図４は、発光モジュールの外観例を示す図である。図４に示すように、発光モジュール１０は、複数の基板１１と、複数の基板１１のそれぞれに実装された複数の発光素子１２とを具備する。基板１１は、取付部材２に取り付けられる。これにより、発光モジュール１０が、取付部材２に取り付けられることとなる。
【００３５】
発光素子１２は、例えば、ＬＥＤなどであり、光を発光する。発光素子１２により放射された光の一部は、拡散板９により拡散され、下面カバー７を透過し、室内の床へと進む。また、発光素子１２により放射された光の一部は、直接もしくは拡散板９により反射又は拡散され、側面カバー６及び側面部７ａを透過し、プリズム７ｂにより屈折されて天井へと進む。なお、プリズム７ｂに入射した光は全てが天井へと向かうのではなく、プリズムに入射した光の中には、側方へ進むものがある。
【００３６】
ここで、プリズム７ｂについて説明する。図５は、図１において、左側の下面カバー７で覆われた部分の断面図である。図５を参照して、図１において左側の下面カバー７で覆われた部分に含まれるプリズム７ｂについて説明する。なお、図１において右側の下面カバー７で覆われた部分に含まれるプリズム７ｂについては、図５に示されたプリズム７ｂと同様であるので、説明を省略する。
【００３７】
図５に示すように、照明装置１が天井に取り付けられた場合に、プリズム７ｂは、天井に垂直な方向９０に対して、進行方向がβの角度となる光４３が天井に照射されるように、側面カバー６及び側面部７ａを透過した光の進行方向を調整する。ここで、βは、例えば、４０度以上９０度以下の値であるが、βの値はこれに限られない。また、上述したように、側面カバー６及び側面部７ａを透過する光は、発光素子１２から直接側面カバー６に入射されるような光４０、拡散板９により拡散された光４１、拡散板９により反射された光４２などである。
【００３８】
また、図５に示すように、実施形態の照明装置１では、プリズム７ｂの断面は略三角形である。プリズム７ｂの断面が示す略三角形の一辺が示す方向７ｄと、拡散板９の平面形状に垂直な方向９ａとの角度αは、プリズム７ｂからの光が天井を照射できるような角度であればどのような値であってもよい。また、図５に示すように、発光素子１２から放射される波長の光に対するプリズム７ｂの屈折率は、例えば、１．４５以上１．６５以下である。なお、天井に取り付けられた場合に、天井と拡散板９とが略平行となるように照明装置１は設計されているため、天井に照明装置１が取り付けられた場合には、上述した方向９０と、方向９ａとは、略平行となる。
【００３９】
また、実施形態の照明装置１では、下面カバー７を透過する光の量と、プリズム７ｄにより調整が行われて天井に照射される光の量との比が、１：９〜２：８の範囲のいずれかの比となるような透過率の拡散板９が用いられる。これに加えて、実施形態の照明装置１では、かかる比となるような位置に拡散板９が設けられる。
【００４０】
次に、拡散板９と、下面カバー７との位置関係の一例について説明する。図６は、拡散板９と、下面カバー７との位置関係の一例を示す図である。なお、図６は、照明装置１の断面図である。図６の例に示すように、プリズム７ｂが設けられている側面カバー６の下端部６ｂ、及び、点９ｂを結ぶ直線８０と、拡散板９の平面形状に垂直な方向９ａとの角度εは、５度以上３０度以下の角度である。ここで、点９ｂは、下端部６ｂを含む断面上における、下端部６ｂから最も遠い拡散板９上の点である。すなわち、点９ｂは、下端部６ｂを含む平面上における、下端部６ｂから最も遠い拡散板９上の点である。
【００４１】
（実施形態の効果）
上述してきたように、実施形態に係る照明装置１は、発光素子１２と、側面カバー６と、下面カバー７と、拡散板９と、光学部材の一例であるプリズム７ｂとを具備する。発光素子１２は、光を放射する。側面カバー６は、発光素子１２に対して所定の間隔をあけて配置され、かつ、発光素子１２により放射された光を透過する。下面カバー７は、側面カバー６の下端部に設けられた、発光素子１２により放射された光を透過する。拡散板９は、下面カバー７と、発光素子１２との間に設けられ、光を拡散するための部材である。プリズム７ｂは、側面カバー６を透過した光の進行方向が、下面カバー７を透過する発光素子１２により放射された光の進行方向とは異なる方向となるように、側面カバー６を透過した光の進行方向を調整する。このように、照明装置１では、拡散板９は、下面カバー７よりも上側に設けられている。そのため、図７に示すように、屋内６０において、上述した方向８０よりも、照明装置１に対して外側の位置８２に存在する人物８１にとっては、照明装置１からの光がまぶしくない。したがって、実施形態に係る照明装置１によれば、まぶしさを抑制することができる。また、実施形態に係る照明装置１によれば、下面カバー７を透過する発光素子１２により放射された光の進行方向とは異なる方向に、側面カバー６を透過した光が進む。したがって、実施形態に係る照明装置１によれば、空間の明るさ感を高めることができ、人物にとって快適な照明空間を提供することができる。よって、実施形態に係る照明装置１によれば、まぶしさを抑制すると共に明るさ感を高めることができる。
【００４２】
なお、図７の例では、プリズム７ｂから側方に光が進んでいるため、人物８１は、プリズム７ｂからのわずかな光を視認することができる。その後、人物８１が、図９に示すように、方向８０よりも照明装置１側の位置８３まで移動した場合には、拡散板９によって拡散された光を視認することができるが、人物８１は、すでに位置８２の場所でプリズム７ｂからのわずかな光を視認している。そのため、人物８１が位置８３まで移動した場合であっても、人物８１は、拡散板９からの光に対する違和感がほとんどない。したがって、実施形態に係る照明装置１によれば、照明装置１からの光に対する違和感を抑制することができる。
【００４３】
また、実施形態に係る照明装置１では、側面カバー６の下端部６ｂ、及び、下端部６ｂを含む平面上における、下端部６ｂから最も遠い拡散板９上の点９ｂを結ぶ直線８０と、拡散板９の平面形状に垂直な方向９ａとの角度εが、５度以上３０度以下の角度である。
【００４４】
また、実施形態に係る照明装置１では、側面カバー６は、拡散板９により拡散または反射された光を透過する。
【００４５】
また、実施形態に係る照明装置１は、天井に取り付けるための取付部材２を具備する。また、かかる照明装置１において、プリズム７ｂは、側面カバー６を透過した光が、天井に照射されるように、側面カバー６を透過した光の進行方向を調整する。したがって、実施形態に係る照明装置１によれば、天井にも光が照射される。よって、実施形態に係る照明装置１によれば、空間の明るさ感を高めることができ、人物にとって快適な照明空間を提供することができる。
【００４６】
また、実施形態に係る照明装置１において、プリズム７ｂは、天井に垂直な方向に対して、進行方向が４０度以上９０度以下となる光が天井に照射されるように、側面カバー６を透過した光の進行方向を調整する。
【００４７】
また、実施形態に係る照明装置１において、発光素子１２から放射される波長の光に対するプリズム７ｂの屈折率は、１．４９以上１．５９以下である。
【００４８】
また、実施形態に係る照明装置１において、下面カバー７を透過する光の量と、プリズム７ｄにより屈折されて天井に照射される光の量との比は、１：９〜２：８の範囲のいずれかの比である。したがって、照明装置１によれば、床面方向の光の量と、天井方向の光の量とを適切にすることができる。
【００４９】
また、実施形態に係る照明装置１において、側面カバー６には、一部にくぼみ６ａが形成されている。また、かかる照明装置１において、プリズム７ｂには、くぼみにはめ込むことにより、側面カバー６に取り付け可能となる突起が形成されている。したがって、照明装置１によれば、プリズム７ｂに側面カバー６を簡易に取り付けることを可能にすることができる。
【００５０】
また、実施形態に係る照明装置１において、下面カバー７と、プリズム７ｂとが一体成形されている。これにより、下面カバー７及びプリズム７ｂの部品の数が１つで済むため、部品の数を少なくすることができる。
【００５１】
また、実施形態に係る照明装置１において、側面カバー６とプリズム７ｂとが一体成形されていてもよい。これにより、側面カバー６及びプリズム７ｂの部品の数が１つで済むため、部品の数を少なくすることができる。
【００５２】
また、実施形態に係る照明装置１において、側面カバー６と、下面カバー７と、プリズム７ｂとが一体成形されていてもよい。これにより、側面カバー６、下面カバー７及びプリズム７ｂの部品の数が１つで済むため、更に、部品の数を少なくすることができる。
【００５３】
また、実施形態に係る照明装置１において、側面カバー６と、下面カバー７と、プリズム７ｂと、拡散板９とが一体成形されていてもよい。これにより、側面カバー６、下面カバー７、プリズム７ｂ及び拡散板９の部品の数が１つで済むため、更に、部品の数を少なくすることができる。
【００５４】
また、実施形態に係る照明装置１において、プリズム７ｂは、複数の側面カバー６のうち、外側に位置する側面カバー６に設けられている。これにより、天井に対して光を照射することができる位置に存在する側面カバー６のみにプリズム７ｂが設けられる。したがって、天井を明るくするために用いられるプリズム７ｂの数を最小限度の数にすることができる。
【００５５】
また、実施形態に係る照明装置１において、プリズム７ｂは、複数の側面カバー６のそれぞれに設けられていてもよい。これにより、例えば、天井に対して光を照射することができる位置に存在する側面カバー６に限られず、反射板３に対して光を照射することができる位置に存在する側面カバー６にも、プリズム７ｂが設けられる。したがって、反射板３によって反射される光の量を多くすることができる。そのため、空間の明るさ感を更に高めることができ、人物にとって更に快適な照明空間を提供することができる。
【００５６】
また、実施形態に係る照明装置１において、プリズム７ｂは、アクリル樹脂またはポリカーポネート樹脂を含む材料で形成されている。
【００５７】
また、上記実施形態に係る各部材の形状、原料及び材質は、実施形態や各図に表記した例に限られない。
【００５８】
以上説明したとおり、上記実施形態によれば、まぶしさを抑制することができる。
【００５９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６０】
１        照明装置
６        側面カバー
７        下面カバー
７ｂ      プリズム
９        拡散板
１２      発光素子
【図１】
2014063665.tif 000003
【図２】
2014063665.tif 000004
【図３】
2014063665.tif 000005
【図４】
2014063665.tif 000006
【図５】
2014063665.tif 000007
【図６】
2014063665.tif 000008
【図７】
2014063665.tif 000009
【図８】
2014063665.tif 000010